(57)【特許請求の範囲】
【請求項１】
前面部が開放され、天板（１２）と左右の側板（１４，１６）と背板（１８）とを具備し、背板と側板の中の、天板とは１枚板ではない非一体板（１４，１６，１８）が天板と溶接接合された金属製筐体（１０）を有する家具であって、
前記非一体板の端部を筐体内部方向に折り曲げた非一体板折曲部（１８Ｂ）を具備し、
天板の端部を前記非一体板の平面と一致する下方向に折り曲げた第１折曲部（１２Ａ）と、
該第１折曲部の先部を前記非一体板折曲部の上面に沿うように折り曲げた第２折曲部（１２Ｂ）と、
該第２折曲部の先部を、前記非一体板折曲部を囲いつつ、前記非一体板の裏面に向かうように折り曲げた第３折曲領域部（１２Ｃ’，１２Ｃ）と、
該第３折曲領域部の先部を前記非一体板の裏面に沿わせつつ下方に向かうように折り曲げた第４折曲部（１２Ｄ）とを具備し、
該第４折曲部と前記非一体板とをスポット溶接している
ことを特徴とする金属製筐体を有する家具。
【請求項２】
前面部が開放され、天板と左右の側板と背板とを具備し、背板と側板の中の、天板とは１枚板ではない非一体板が天板と溶接接合された金属製筐体を有する家具であって、
前記非一体板の端部を筐体内部方向に折り曲げた非一体板折曲部（１８ａ）を具備し、
天板の端部を折り返すと共に前記非一体板折曲部の上面に沿わせた第１折曲部（１２ａ）と、
該第１折曲部の先部を、前記非一体板折曲部を囲いつつ、前記非一体板の裏面に向かうように折り曲げた第２折曲領域部（１２ｂ’，１２ｂ）と、
該第２折曲領域部の先部を前記非一体板の裏面に沿わせつつ下方に向かうように折り曲げた第３折曲部（１２ｃ）とを具備し、
該第３折曲部と前記非一体板とをスポット溶接している
ことを特徴とする金属製筐体を有する家具。
【請求項３】
前面部が開放され、天板と左右の側板と背板とを具備し、背板と側板の中の、天板とは１枚板ではない非一体板が天板と溶接接合された金属製筐体を有する家具であって、
天板の端部を前記非一体板の平面と一致する下方向に折り曲げた第１折曲部（１２α）と、
該第１折曲部の先部を筐体内部方向に折り曲げた第２折曲部（１２β）とを具備し、
前記非一体板の端部を筐体内部方向に折り曲げ、前記第２折曲部の下面に沿わせた非一体板第１折曲部（１８α）と、
該非一体板第１折曲部の先部を、前記第２折曲部を囲いつつ、前記第１折曲部の裏面に向かうように折り曲げた非一体板第２折曲領域部（１８β’，１８β）と、
該非一体板第２折曲領域部の先部を前記第１折曲部の裏面に沿わせつつ上方に向かうように折り曲げた非一体板第３折曲部（１８γ）とを具備し、
該非一体板第３折曲部と前記第１折曲部とをスポット溶接している
ことを特徴とする金属製筐体を有する家具。
【請求項４】
前面部が開放され、天板と左右の側板と背板とを具備し、背板と側板の中の、天板とは１枚板ではない非一体板が天板と溶接接合された金属製筐体を有する家具であって、
天板の端部を前記非一体板の平面と一致する下方向に折り曲げた第１折曲部を有して該第１折曲部の先部を筐体内部方向に折り曲げた第２折曲部を有するか、或いは、前記第１折曲部が無くて天板の端部を筐体内部方向に折り返した折返部（１２α）を有し、
前記非一体板の端部を前記第２折曲部或いは前記折返部の下面に沿わせるように折り曲げた非一体板第１折曲部（１８α）と、
該非一体板第１折曲部の先部を天板の裏面に向かわせて該天板の裏面に沿うように折り曲げた非一体板第２折曲領域部（１８β）とを具備し、
該第２折曲領域部と天板とをスポット溶接している
ことを特徴とする金属製筐体を有する家具。
【発明の詳細な説明】
【技術分野】
【０００１】
本発明は、保管庫、ラテラル、キャビネット等と呼ばれ、観音扉や引戸や抽斗を有して、書類等を収納保管できる金属製筐体を有する家具に関する。
【背景技術】
【０００２】
上記のような家具の金属製筐体を構成する場合、少なくとも背板又は側板を天板とスポット溶接接続して製造されている。
【発明の開示】
【発明が解決しようとする課題】
【０００３】
しかし、この従来の接続構造では、接合部が天板領域表面に現れたり、背板領域や側板領域に現れる。これでは天板の端部縁、又は背板や側板の端部縁が筐体表面に露出するため、この端部をスポット溶接して接合する際に、溶接の影響によってそれらの縁が波打ち、見栄えが悪くなる。更には、天板領域には可及的にスポット溶接の跡の少ないことが好ましい。従来、こうした天板領域の見栄えをよくするためには、別部品たる１枚板の化粧板等を載置する必要があった。
本発明の解決しようとする課題は、天板領域には接合部が現れないと共に、筐体外部に板金端部縁が現れないで見栄えの良い家具を提供することである。また好ましくは、天板と背板との接合部、又は天板と側板との接合部のスポット溶接箇所が天板領域に無く、天板の見栄えが更に向上する家具の提供をすることである。
【課題を解決するための手段】
【０００４】
第１の発明では、前面部が開放され、天板と左右の側板と背板とを具備し、背板と側板の中の、天板とは１枚板ではない非一体板が天板と溶接接合された金属製筐体を有する家具であって、前記非一体板の端部を筐体内部方向に折り曲げた非一体板折曲部を具備し、天板の端部を前記非一体板の平面と一致する下方向に折り曲げた第１折曲部と、該第１折曲部の先部を前記非一体板折曲部の上面に沿うように折り曲げた第２折曲部と、該第２折曲部の先部を、前記非一体板折曲部を囲いつつ、前記非一体板の裏面に向かうように折り曲げた第３折曲領域部と、該第３折曲領域部の先部を前記非一体板の裏面に沿わせつつ下方に向かうように折り曲げた第４折曲部とを具備し、該第４折曲部と前記非一体板とをスポット溶接していることを特徴とする金属製筐体を有する家具を提供する。
念のためではあるが、背板と左右の側板とが一体（１枚板）であってもよく、また、これらが別体であってもよい。
【０００５】
第２の発明では、前面部が開放され、天板と左右の側板と背板とを具備し、背板と側板の中の、天板とは１枚板ではない非一体板が天板と溶接接合された金属製筐体を有する家具であって、前記非一体板の端部を筐体内部方向に折り曲げた非一体板折曲部を具備し、天板の端部を折り返すと共に前記非一体板折曲部の上面に沿わせた第１折曲部と、該第１折曲部の先部を、前記非一体板折曲部を囲いつつ、前記非一体板の裏面に向かうように折り曲げた第２折曲領域部と、該第２折曲領域部の先部を前記非一体板の裏面に沿わせつつ下方に向かうように折り曲げた第３折曲部とを具備し、該第３折曲部と前記非一体板とをスポット溶接していることを特徴とする金属製筐体を有する家具を提供する。
【０００６】
第３の発明では、前面部が開放され、天板と左右の側板と背板とを具備し、背板と側板の中の、天板とは１枚板ではない非一体板が天板と溶接接合された金属製筐体を有する家具であって、天板の端部を前記非一体板の平面と一致する下方向に折り曲げた第１折曲部と、該第１折曲部の先部を筐体内部方向に折り曲げた第２折曲部とを具備し、前記非一体板の端部を筐体内部方向に折り曲げ、前記第２折曲部の下面に沿わせた非一体板第１折曲部と、該非一体板第１折曲部の先部を、前記第２折曲部を囲いつつ、前記第１折曲部の裏面に向かうように折り曲げた非一体板第２折曲領域部と、該非一体板第２折曲領域部の先部を前記第１折曲部の裏面に沿わせつつ上方に向かうように折り曲げた非一体板第３折曲部とを具備し、該非一体板第３折曲部と前記第１折曲部とをスポット溶接していることを特徴とする金属製筐体を有する家具を提供する。
【０００７】
第４の発明では、前面部が開放され、天板と左右の側板と背板とを具備し、背板と側板の中の、天板とは１枚板ではない非一体板が天板と溶接接合された金属製筐体を有する家具であって、天板の端部を前記非一体板の平面と一致する下方向に折り曲げた第１折曲部を有して該第１折曲部の先部を筐体内部方向に折り曲げた第２折曲部を有するか、或いは、前記第１折曲部が無くて天板の端部を筐体内部方向に折り返した折返部を有し、前記非一体板の端部を前記第２折曲部或いは前記折返部の下面に沿わせるように折り曲げた非一体板第１折曲部と、該非一体板第１折曲部の先部を天板の裏面に向かわせて該天板の裏面に沿った非一体板第２折曲領域部とを具備し、該第２折曲領域部と天板とをスポット溶接していることを特徴とする金属製筐体を有する家具を提供する。
【発明の効果】
【０００８】
第１発明では、天板の端部を非一体板の平面と一致する下方向に折り曲げており（第１折曲部）、また、非一体板の端部を筐体内部方向に折り曲げており（非一体板折曲部）、天板も第１折曲部の先部を筐体内部方向に折り曲げ（第２折曲部）、第３折曲領域部を介して第４折曲部が非一体板の裏面に沿いつつ下方に向かっているため、接合部も、ここを接合させた溶接箇所も天板領域には現れておらず、天板領域の見栄えが非常に良い。また、天板の端部縁も非一体板の端部縁も筐体内部にあり、筐体表面には現れておらず、端部をスポット溶接する際の影響によって端部縁が波打っても外部からは見えず、見栄えが良い。更には、第２折曲部と天板裏面との間（第１折曲部の上下方向幅）が小さくて、溶接具の一方の先端部がこの第２折曲部と天板裏面との間に入らない場合でも、第４折曲部にスポット溶接をするため、接合接続が可能となる。
【０００９】
第２発明では、天板の端部を折り返すと共に非一体板折曲部の上面に沿わせており（第１折曲部）、また、非一体板の端部を筐体内部方向に折り曲げており（非一体板折曲部）、天板も第２折曲領域部を介して第３折曲部が非一体板の裏面に沿いつつ下方に向かっているため、接合部も、ここを接合させた溶接箇所も天板領域には現れておらず、天板領域の見栄えが非常に良い。また、天板の端部縁も非一体板の端部縁も筐体内部にあり、筐体表面には現れておらず、端部をスポット溶接する際の影響によって端部縁が波打っても外部からは見えず、見栄えが良い。
【００１０】
第３発明では、天板の端部を非一体板の平面と一致する下方向に折り曲げており（第１折曲部）、また、天板の第１折曲部の先部を筐体内部方向に折り曲げており（第２折曲部）、非一体板も非一体板第１折曲部を筐体内部方向に折り曲げ、非一体板第２折曲領域部を介して非一体板第３折曲部が第１折曲部の裏面に沿いつつ上方に向かっているため、接合部も、ここを接合させた溶接箇所も天板領域には現れておらず、天板領域の見栄えが非常に良い。また、天板の端部縁も非一体板の端部縁も筐体内部にあり、筐体表面には現れておらず、ここをスポット溶接する際の影響によって端部縁が波打っても外部からは見えず、見栄えが良い。
【００１１】
第４発明では、天板の端部を非一体板の平面と一致する下方向に折り曲げた第１折曲部を有して該第１折曲部の先部を筐体内部方向に折り曲げた第２折曲部を有するか、或いは、前記第１折曲部が無くて天板の端部を筐体内部方向に折り返した折返部を有し、非一体板の端部を前記第２折曲部或いは前記折返部の下面に沿わせるように折り曲げた非一体板第１折曲部と、該非一体板第１折曲部の先部を天板の裏面に向かわせて該天板の裏面に沿った非一体板第２折曲領域部とを具備しているため、接合部が天板領域には現れておらず、天板領域の見栄えが良くなる。また、天板の端部縁も非一体板の端部縁も筐体内部にあり、筐体表面には現れておらず、ここをスポット溶接する際の影響によって端部縁が波打っても外部からは見えず、見栄えが良い。
【発明を実施するための最良の形態】
【００１２】
図１は、本発明に係る家具の１つであり、直方体形状の金属製筐体１０の中の、開放されている前面部を観音開き扉２２Ａ，２２Ｂによって開閉可能に構成した保管庫である。筐体は天板１２と左右の側板１４，１６と背板１８と底板２０とを具備しているが、前面部は開放されている。側板や背板は天板と一体の板金によって成形することも可能であるが、ここでは夫々天板とは独立した板金によって成形されている。従って、以下の実施例では背板１８を天板と一体形成されていない非一体板の例としているが、天板と側板１４，１６との間でも同じ接合構造が採用されている。参照番号３０は筐体前部の補強フレームであり、筐体の左右方向に延伸しつつ、天板１２の裏面に沿わせて天板を補強している。この形態の補強フレーム３０は天板１２に対してスポット溶接するが、天板に対してスポット溶接しない形態の補強フレームとすることもできる。
【００１３】
天板１２とこの非一体板１８との従来の接合構造として、図７や図８に示す形態がある。その他、図９のような形態も考えられる。然しながら、図７の形態では、外部溶接具２４Ａと内部溶接具２４Ｂによるスポット溶接は背板領域にて行われるが、背板の端部縁１８Ｅ、即ち、接合部が天板領域に現れており、特に高さの低い家具において美観を損なう。図８の場合は、接合部は天板領域には現れていないが、スポット溶接の影響によって天板の端部縁１２Ｅがその長手方向に沿って波打ち、筐体の外観が悪くなる。図９の場合は、背板１８の端部縁１８Ｅが波打ち、やはり外観が悪くなる。
【００１４】
以上と異なり、本願の接合部構造は、図１の矢視線Ｂ−Ｂによる拡大断面図である図２を参照する。これは第１発明に係る一形態例を示す。背板１８の上端部を筐体の内部方向に折り曲げた背板第１折曲部１８Ｂ（第１発明における非一体板折曲部）を形成し、更に、本願では無くてもよいが、この例ではその背板第１折曲部の先部を下方に向けて折り曲げ、背板第２折曲部１８Ｃ’を形成している。一方、天板１２はその背板側端部を背板の平面に一致する下方向に折り曲げて第１折曲部１２Ａを形成し、その先部を前記背板第１折曲部１８Ｂの上面に沿うように筐体内方に折り曲げて第２折曲部１２Ｂを形成している。
【００１５】
また、この第２折曲部の先部は、下方に向けて折り曲げた上下方向部１２Ｃ’と、更にその先部を折り曲げて背板の裏面に向かうように折り曲げた水平部１２Ｃとを有して第３折曲領域部を構成している。また、この第３折曲領域部の先部を背板の裏面に沿わせつつ下方に向かうように折り曲げた第４折曲部１２Ｄを形成している。この第４折曲部１２Ｄと背板１８とを、外部溶接具２４Ａと内部溶接具２４Ｂとによってスポット溶接して接合させる。
【００１６】
以上のようにして接合させると、天板領域には接合部も、この接合のための溶接跡も現れておらず、見栄えがよい。また、背板領域に何れの側の端部縁も現れておらず、第４折曲部１２Ｄも筐体内部に位置しているため、溶接によるその端部縁の波打ちは見えず、見栄えがよい。この接合構造では、後述する図５の場合と異なり、第１折曲部１２Ａの幅（図２における上下方向寸法）が小さくて内部溶接具２４Ｂの先部が天板１２と第２折曲部１２Ｂとの間に入らない場合に特に適する。
【００１７】
更には、上記例では背板第２折曲部１８Ｃ’が存在し、これに合わせて上下方向部１２Ｃ’も存在するが、背板第２折曲部が無くてもよく、この場合、実質的に上下方向部１２Ｃ’が無くて、水平部１２Ｃが背板第１折曲部１８Ｂの下側に近接していてもよい。この変形形態は図示していないが、後述の図３の構造に対する図４の構造の相違と同様である。
【００１８】
本発明の第２形態例の図としての図３は第２発明に係る一形態を示し、図２に対応する図である。背板１８の端部を筐体内部方向に折り曲げた背板第１折曲部１８ａ（第２発明における非一体板折曲部）を形成し、更に、本願では無くてもよいが、この例ではその背板第１折曲部の先部を下方に向けて折り曲げ、背板第２折曲部１８ｂ’を形成している。一方、天板１２はその背板側端部を筐体内方に折り返して前記背板第１折曲部１８ａの上面に沿う第１折曲部１２ａを形成している。
【００１９】
また、この第１折曲部の先部は、下方に向けて折り曲げた上下方向部１２ｂ’と、更にその先部を折り曲げて背板の裏面に向かうように折り曲げた水平部１２ｂとを有して第２折曲領域部を構成している。また、この第２折曲領域部の先部を背板の裏面に沿わせつつ下方に向かうように折り曲げた第３折曲部１２ｃを形成している。この第３折曲部１２ｃと背板１８とを、外部溶接具２４Ａと内部溶接具２４Ｂとによってスポット溶接して接合させる。
【００２０】
以上のようにして接合させると、天板領域には接合部も、この接合のための溶接跡も現れておらず、見栄えがよい。また、背板領域に何れの側の端部縁も現れておらず、第３折曲部１２ｃも筐体内部に位置しているため、溶接によるその端部縁の波打ちは見えず、見栄えがよい。
【００２１】
本発明の第３形態例の図としての図４も第２発明に係る一形態であり、図３の形態との相違は、図３の背板第２折曲部１８ｂ’と上下方向部１２ｂ’とが無いことだけであり、作用効果は同じである。
【００２２】
本発明の第４形態例の図としての図５は第３発明に係る形態例を示し、図２に対応する図である。天板１２の背板側の端部を背板１８の平面と一致する下方向に折り曲げて第１折曲部１２αとし、その先部を筐体内部方向に折り曲げて第２折曲部１２βとしている。更に、本願では無くてもよいが、この例ではその第２折曲部の先部を上方に向けて折り曲げ、第３折曲部１２β’を形成している。
【００２３】
一方、背板は天板側端部を筐体内部方向に折り曲げ、前記第２折曲部の下面に沿う背板第１折曲部１８αとする。上記第３折曲部１２β’と共に本願では無くてもよいが、この例ではその先部を上方に折り曲げた上下方向部１８β’とし、更にその先部を折り曲げて、第２折曲部と第３折曲部を囲いつつ第１折曲部の裏面に向かうように折り曲げた水平部１８βとを有する。この上下方向部と水平部とで背板第２折曲領域部を構成している。更には、水平部の先部を第１折曲部の裏面に沿わせつつ上方に向かうように折り曲げた背板第３折曲部１８γを形成している。この背板第３折曲部と第１折曲部１２αとを、外部溶接具２４Ａと内部溶接具２４Ｂとによってスポット溶接して接合させる。
【００２４】
以上のようにして接合させると、天板領域には接合部も、この接合のための溶接跡も現れておらず、見栄えがよい。また、背板外側に何れの側の端部縁も現れておらず、背板第３折曲部１８γも筐体内部に位置しているため、溶接によるその端部縁の波打ちは見えず、見栄えがよい。この接合構造は、天板と水平部１８βとの間に内部溶接具２４Ｂの先部が入る寸法の場合に適用できる。
【００２５】
この図５の形態に対しても、図３の形態と図４の形態との関係のように、第３折曲部１２β’と上下方向部１８β’の実質的な存在しない変形形態がある。
【００２６】
本発明の第５形態例図としての図６は、第４発明に係る形態例を示し、図２に対応する図である。天板１２の背板側の端部を折り返して折返部１２αとし、背板１８の端部を前記折返部の下面に沿わせるように折り曲げた背板第１折曲部１８αとする。更には、該背板第１折曲部の先部を天板の裏面に向かわせて該天板の裏面に沿った背板第２折曲領域部１８βにする。この背板第２折曲領域部と天板とをスポット溶接する。
【００２７】
以上のようにして接合させると、天板領域に接合部が現れておらず、天板の見栄えがよい。また、背板外側に何れの端部縁も現れておらず、背板第２折曲領域部１８βも筐体内部に位置しているため、溶接によるその端部縁の波打ちは見えず、見栄えがよい。
この図６の形態に対して、図２の第１折曲部１２Ａと同様に折り曲げられた上下方向折曲部（第４発明における第１折曲部）を有し、背板第２折曲領域部１８βがこの上下方向折曲部に対応する上下方向折曲部を有する変形形態がある。
【産業上の利用可能性】
【００２８】
本発明は、金属製筐体を有する家具に利用できる。
【図面の簡単な説明】
【００２９】
【図１】図１は、本発明に係る家具の斜視図である。
【図２】図２は図１の矢視線Ｂ−Ｂによる拡大断面図であり、第１発明に対する形態例の図である。
【図３】図３は図２に対応する図であり、第２発明に対する形態例の図である。
【図４】図４は図３の変形形態例の図である。
【図５】図５は図２に対応する図であり、第３発明に対する形態例の図である。
【図６】図６は図２に対応する図であり、第４発明に対する形態例の図である。
【図７】図７は従来構造の例を示す図である。
【図８】図８は従来構造の例を示す図である。
【図９】図９は従来構造の例を示す図である。
【符号の説明】
【００３０】
１０                  金属製筐体
１２                  天板
１４，１６            側板
１８                  背板
【図１】
0004656517.tif 000002
【図２】
0004656517.tif 000003
【図３】
0004656517.tif 000004
【図４】
0004656517.tif 000005
【図５】
0004656517.tif 000006
【図６】
0004656517.tif 000007
【図７】
0004656517.tif 000008
【図８】
0004656517.tif 000009
【図９】
0004656517.tif 000010